(57)【要約】      （修正有）【課題】霜受け皿の下側にも冷気が流れ込み、収納室内を容易にかつ均一に冷却することができると共に、冷却効率を向上させることができる霜受け皿およびそれを備えた冷却冷蔵庫を提供する。【解決手段】冷却器の下方に配置され、すべての端が冷却器の端よりも外側に延出した形状を有し、外周に外部への水の流出を防ぐ外周流水壁部６５が設けられ、少なくとも１つの開口部６１ａ、６１ｂが形成されている。【選択図】図３
0003208172.tif 000002
【実用新案登録請求の範囲】
【請求項１】
冷却貯蔵庫室内の冷却器から滴下する水を受ける霜受け皿であって、
前記冷却器の下方に配置され、すべての端が前記冷却器の端よりも外側に延出した形状を有し、
外周に外部への水の流出を防ぐ外周流水壁部が設けられ、
少なくとも１つの開口部が形成されていることを特徴とする霜受け皿。
【請求項２】
前記冷却器の下方にダクト板が設けられ、
すべての端が前記ダクト板の端より外側に延出した形状を有し、
前記開口部が前記ダクト板の端より内側に形成されていることを特徴とする請求項１に記載の霜受け皿。
【請求項３】
前記開口部の周囲に前記開口部への水の流入を防ぐ開口流水壁部が形成されていることを特徴とする請求項１または２に記載の霜受け皿。
【請求項４】
水を排出する排出口が設けられ、
前記排出口が下方に位置するように傾斜していることを特徴とする請求項１〜３の何れかに記載の霜受け皿。
【請求項５】
金属で形成されていることを特徴とする請求項１〜４の何れかに記載の霜受け皿。
【請求項６】
請求項１〜５の何れかの霜受け皿が取り付けられた冷却貯蔵庫。
【考案の詳細な説明】
【技術分野】
【０００１】
本考案は、冷却貯蔵庫室内に設けられた冷却器から滴下する水を受ける霜受け皿およびそれを備えた冷却冷蔵庫に関するものである。
【背景技術】
【０００２】
従来、収納対象となる商品を所望の温度に保持する冷却冷蔵庫であるショーケースとして、図６に示すようなものが知られている。このようなショーケース１０１では、前面に透明な前面ガラス１０６が取り付けられた収納室１１０内に、２つの商品載置棚１１１、１１２が上下方向に設けられており、それぞれの商品載置棚１１１、１１２に商品が載置されるようになっている。
【０００３】
また、収納室１１０の上部には冷却器１３０が取り付けられると共に、商品載置棚１１１、１１２の下側に位置して冷媒パイプから構成される冷却器１４０、１５０がそれぞれ水平に取り付けられている。各冷却器１３０、１４０、１５０の下側にはダクト板１３１、１４１、１５１および霜受け皿１６０、１７０、１８０が各冷却器１３０、１４０、１５０に対してそれぞれ配置され、各冷却器１６０、１７０、１８０から滴下する水がダクト板１３１、１４１、１５１上を通って霜受け皿１６０、１７０、１８０にそれぞれ流れ込むようになっている。
【０００４】
霜受け皿１６０は、図７に示すように、隅部に排水口１６８が設けられた長方形状の板で構成され、その周囲に垂直上方に向かって外周流水壁部１６５が設けられている。なお、霜受け皿１７０、１８０も霜受け皿１６０と同様の構成となっている。
【０００５】
このような霜受け皿１６０、１７０、１８０が取り付けられたショーケース１０１では、各冷却器１３０、１４０、１５０によって冷却された冷気は、各冷却器１３０、１４０、１５０から下方に配置されたダクト板１３１、１４１、１５１の表面に沿って流れ、前面ガラス１０６方向またはショーケース１０１の背面１０７の方向に降下する。そして、底板１０３上に降下した冷気は前面ガラス１０６方向に移動し、前面ガラス１０６の内側を上昇する自然循環を形成する（例えば特許文献１参照）。
【先行技術文献】
【特許文献】
【０００６】
【特許文献１】特開平５−３２２４１３号公報
【考案の概要】
【考案が解決しようとする課題】
【０００７】
しかしながら、上述したような霜受け皿では、霜受け皿の下側に冷気が流れ込みにくく、収納室内を均一に冷却しにくいという問題があった。そして、その結果、収納室内の温度が下がりにくくなり、冷却効率が悪くなるという問題があった。
【０００８】
本考案は、霜受け皿の下側にも冷気が流れ込み、収納室内を容易にかつ均一に冷却することができると共に、冷却効率を向上させることができる霜受け皿を提供することを目的とする。
【課題を解決するための手段】
【０００９】
本考案の考案者は、上述した問題点に関して鋭意研究を続けた結果、以下のような画期的な霜受け皿を見出した。
【００１０】
本考案に係る第１の態様は、冷却貯蔵庫室内の冷却器から滴下する水を受ける霜受け皿であって、冷却器の下方に配置され、すべての端が冷却器の端よりも外側に延出した形状を有し、外周に外部への水の流出を防ぐ外周流水壁部が設けられ、少なくとも１つの開口部が形成されていることを特徴とする霜受け皿にある。
【００１１】
かかる第１の態様では、霜受け皿の下側にも冷気を流れ込ませることができる。その結果、収納室内を容易にかつ均一に冷却することができる。
【００１２】
本考案に係る第２の態様は、冷却器の下方にダクト板が設けられ、すべての端がダクト板の端より外側に延出した形状を有し、開口部がダクト板の端より内側に形成されていることを特徴とする第１の態様に記載の霜受け皿にある。
【００１３】
かかる第２の態様では、冷気の流れを容易に制御することができるので、収納室内をより容易にかつ均一に冷却することができる。
【００１４】
本考案に係る第３の態様は、開口部の周囲に開口部への水の流入を防ぐ開口流水壁部が形成されていることを特徴とする第１または第２の態様に記載の霜受け皿にある。
【００１５】
かかる第３の態様では、霜受け皿に溜まった水が開口部から流れ出ることを防止することができるので、商品に水がかかるのを防止することができる。
【００１６】
本考案の第４の態様は、水を排出する排出口が設けられ、排出口が下方に位置するように傾斜していることを特徴とする第１〜３の態様の何れかに記載の霜受け皿にある。
【００１７】
かかる第４の態様では、霜受け皿に溜まった水を排出することができるので、霜受け皿から水があふれ出ることを防止することができる。
【００１８】
本考案の第５の態様は、金属で形成されていることを特徴とする第１〜４の態様の何れかに記載の霜受け皿にある。
【００１９】
かかる第６の態様では、霜受け皿の上方の温度を下方に素早く伝導させることができるので、収納室内を素早く冷却することができる。
【００２０】
本考案の第６の態様は、第１〜５の態様の何れかの霜受け皿が取り付けられた冷却貯蔵庫にある。
【００２１】
かかる第６の態様では、霜受け皿の下側にも冷気が流れ込み、収納室内を容易にかつ均一に冷却することができると共に、冷却効率を向上させることができる冷却冷蔵庫を提供することができる。
【図面の簡単な説明】
【００２２】
【図１】図１は実施形態１に係るショーケースの概略斜視図である。
【図２】図２は実施形態１に係るショーケースの概略縦断側面図である。
【図３】図３は実施形態１に係る霜受け皿の概略斜視図である。
【図４】図４は実施形態１に係る霜受け皿の概略上面図である。
【図５】図５は実施形態３に係る霜受け皿の概略上面図である。
【図６】図６は従来のショーケースの概略縦断側面図である。
【図７】図７は従来の霜受け皿の概略斜視図である。
【考案を実施するための形態】
【００２３】
以下に添付図面を参照して、本考案に係る霜受け皿の実施形態を説明する。なお、本考案は、以下の実施形態に限定されるものではない。
（実施形態１）
【００２４】
図１に本実施形態に係る霜受け皿が取り付けられたショーケースの概略斜視図を、図２に本実施形態に係る霜受け皿が取り付けられたショーケースの概略縦断側面図を示す。図１および図２に示すように、ショーケース１は、基台９０と、基台９０の上部に載置された収納室１０とで構成されている。
【００２５】
収納室１０は、一部がガラスで構成された天板２、底板３、一部がガラスで構成された左側板４、一部がガラスで構成された右側板５、透明ガラスからなる前面ガラス６および透明ガラスからなる引き戸式の背面扉７で形成されている。収納室１０内には、背面扉７側の両隅部に棚支柱１８が２つ立設されている。そして、この棚支柱１８には、後端を係合することにより、略水平方向に保持されるブラケット１５、１６が取り付けられ、このブラケット１５、１６に支持されて商品載置棚１１、１２が架設されている。ブラケット１５、１６の先端部下側には発光ダイオードを取り付けた照明部１９が設けられており、ブラケット１５、１６の下方に載置される商品を照らすことができるようになっている。
【００２６】
また、収納室１０の上部には冷却器３０が取り付けられると共に、商品載置棚１１、１２の下側に位置して冷媒パイプから構成される冷却器４０、５０がそれぞれ水平方向に取り付けられている。各冷却器３０、４０、５０の下側に配置されるように、前面ガラス６側端部および背面扉７側端部が下方にそれぞれ屈曲した矩形状のダクト板３１、４１、５１が商品載置棚１１、１２に金具（図示しない）で取り付けられ、さらにその下側に配置されるように霜受け皿６０、７０、８０が商品載置棚１１、１２に金具（図示しない）で取り付けられており、各冷却器３０、４０、５０から滴下する水がダクト板３１、４１、５１上を通って霜受け皿６０、７０、８０に流れ込むようになっている。なお、霜受け皿６０、７０、８０は、前面ガラス６側に向かって下方に傾斜するようにそれぞれ取り付けられている。
【００２７】
ここで、霜受け皿６０、７０、８０は同じ構成となっているので、代表して霜受け皿６０について詳細に説明する。図３は霜受け皿６０の概略斜視図であり、図４は霜受け皿６０の概略上面図である。図３および図４に示すように、霜受け皿６０は長方形状の板で構成されており、その長手方向中央部には、長方形状の２つの開口部６１ａ、６１ｂが形成されている。開口部６１ａ、６１ｂの周囲には、垂直上方に向かって開口流水壁部６２ａ、６２ｂがそれぞれ設けられており、霜受け皿６０に水が溜まっても開口部６１ａ、６１ｂから水が流出するのを防止することができるようになっている。
【００２８】
霜受け皿６０の周囲には、外側上方に向かって外周流水壁部６５が設けられており、霜受け皿６０に水が溜まっても外部に水が流出するのを防止することができるようになっている。
【００２９】
さらに、霜受け皿６０の左手前側の隅部には、排水口６８が設けられており、霜受け皿６０に溜まった水を、排水口６８に取り付けられた排水管（図示しない）を通して排出することができるようになっている。
【００３０】
霜受け皿６０、７０、８０は、各霜受け皿６０、７０、８０のそれぞれの上方に位置するダクト板３１、４１、５１の端よりも、対応する端が外側に延出した形状（ダクト板３１、４１、５１よりも大きい形状）であれば特に限定されない。霜受け皿６０、７０、８０の形状をこのような形状とすることにより、各ダクト板３１、４１、５１から滴下する水をすべて霜受け皿６０、７０、８０で受けることができる。さらに、霜受け皿６０、７０、８０を構成する材料も特に限定されないが、金属が好ましく、熱伝導率が１６Ｗｍ−１以上の金属がより好ましい。材料として金属を用いることにより、霜受け皿６０、７０、８０の上方の温度を下方に素早く伝導させることができるので、各霜受け皿６０、７０、８０の下側の空気を素早く冷却することができる。その結果、収納室１０内の温度を素早く均一化することができる。
【００３１】
次に、収納室１０内の冷気の流れについて説明する。図２に示すように、冷却器３０によって冷却された冷気は、ダクト板３１に沿って前面ガラス６側または背面扉７に流れ、その一部が霜受け皿６０上に流れ込む。そして、霜受け皿６０上に流れ込んだ冷気の一部が開口部６１ａ、６１ｂを通って、霜受け皿６０の下側に流れ込むことになる。同様に、冷却器４０、５０によって冷却された冷気も、霜受け皿７０、８０の下側に流れ込むことになる。その結果、従来の霜受け皿を用いた収納室と比較して、収納室１０内を容易にかつ均一に冷却することができると共に、ショーケース１の冷却効率を向上させることができる。
（実施形態２）
【００３２】
実施形態１では、冷却器の下方にダクト板が設けられていたが、ダクト板は設けられていなくてもよい。すなわち、冷却器の下方には霜受け皿しか設けられていないようにショーケースを構成してもよい。ダクト板が存在しないことにより実施形態１のショーケースと比較すると冷却効果が小さくなるかもしれないが、このように構成しても実施形態１と同様の効果が得られる。
【００３３】
ただし、この場合には、霜受け皿は、冷却器の端よりも、対応する端が外側に延出した形状（対応する冷却器よりも大きい形状）とする必要がある。このように霜受け皿を構成することにより、冷却器から滴下する水はその冷却器の端から滴下することが多いので、各冷却器から滴下する水をすべて霜受け皿で受けることができる。
（実施形態３）
【００３４】
上述した実施形態では、霜受け皿の開口部は長方形状のものが２つ形成されていたが、本考案はこれに限定されない。例えば、図５に示すように、円形状の開口部６１Ａを、列状に複数形成してもよい。このように開口部６１Ａを形成しても、開口部６１Ａの総面積が実施形態1に係る開口部の面積と同じであれば、上述した実施形態と同様の効果が得られる。
【００３５】
なお、開口部の形状および大きさは特に限定されず、矩形、台形、星形、楕円形、三角形等であってもよく、その数も限定されない。
【００３６】
また、上述した実施形態では、開口部の周囲に沿うように開口流水壁部を形成したが、本考案はこれに限定されない。例えば、図５に示すように、複数の開口部６１Ａを取り囲むように開口流水壁部６２ａ、６２ｂを形成してもよい。このように開口流水壁部を形成しても、上述した実施形態と同様の効果が得られる。
（その他の実施形態）
【００３７】
上述した実施形態では、開口流水壁部を垂直上方に向うように形成したが、本考案はこれに限定されない。霜受け皿に水が溜まっても開口部から水が流出するのを防止することができるのであれば、例えば、開口部に向かって霜受け皿が上方に向かって凸部を形成するように（テーパ状となるように）開口流水壁部を形成してもよい。このように開口流水壁部を形成しても、上述した実施形態と同様の効果が得られる。
【００３８】
また、上述した実施形態では、外周流水壁部を外側上方に向かうように形成したが、本考案はこれに限定されない。霜受け皿に水が溜まっても外部に水が流出するのを防止することができるのであれば、例えば、垂直上方に向うように外周流水壁部を形成してもよい。このように外周流水壁部を形成しても、上述した実施形態と同様の効果が得られる。
【００３９】
さらに、上述した実施形態では、冷却冷蔵庫の一例としてショーケースを挙げたが、本考案はこれに限定されない。冷却冷蔵庫としては、例えば家庭用冷蔵庫、業務用冷蔵庫等であってもよい。
【符号の説明】
【００４０】
１    ショーケース
２    天板
３    底板
４    左側板
５    右側板
６    前面ガラス
７    背面扉
１０    収納室
１１、１２    商品載置棚
１５、１６    ブラケット
１８    棚支柱
１９    照明部
３０、４０、５０    冷却器
３１、４１、５１    ダクト板
６０、６０Ａ、７０、８０    霜受け皿
６１ａ、６１ｂ、６１Ａ    開口部
６２ａ、６２ｂ    開口流水壁部
６５    外周流水壁部
６８    排水口
９０    基台
【図１】
0003208172.tif 000003
【図２】
0003208172.tif 000004
【図３】
0003208172.tif 000005
【図４】
0003208172.tif 000006
【図５】
0003208172.tif 000007
【図６】
0003208172.tif 000008
【図７】
0003208172.tif 000009